(57)【要約】      （修正有）【課題】簡便にペットボトル容器の高さを２段階に縮小させ得る蛇腹状ペットボトルを提供する。【解決手段】飲み口部１１と上肩部１２と底部１３を除いた容器本体２０の高さ方向の全部が水平方向の蛇腹状となっているペットボトルにおいて、蛇腹状を構成する環状山部は、環径が大きな第１の山部１４と環径が小さな第２の山部１５とが交互に現れるように形成される。また、蛇腹状を構成する環状谷部１６は環径が同じである。ペットボトル容器１を飲み口部１１と底部１３の両側から軸線の方向に圧迫した場合、山部の径と谷部の径との差の大きな部分の蛇腹２１が、山部の径と谷部の径との差の小さな部分の蛇腹２２よりも先に折り畳まれることで、ペットボトル容器１の高さを２段階に簡便に縮小する。【選択図】図１
0003169787.tif 000002
【実用新案登録請求の範囲】
【請求項１】
飲み口部と上肩部と底部を除いた本体の高さ方向の全部が水平方向の蛇腹状となっているペットボトルにおいて、上記蛇腹状を構成する環状山部は、環径が大きな第１の山部と環径が小さな第２の山部とが交互に現れるように形成され、上記蛇腹状を構成する環状谷部の環径が同じであることを特徴とする蛇腹状ペットボトル。
【請求項２】
飲み口部と上肩部と底部を除いた本体の高さ方向の全部が水平方向の蛇腹状となっているペットボトルにおいて、上記蛇腹状を構成する環状山部は、環径が大きな１つの第１の山部と環径が小さな２つの第２の山部とが交互に現れるように形成され、上記蛇腹状を構成する環状谷部の環径が同じであることを特徴とする蛇腹状ペットボトル。
【請求項３】
前記飲み口部を上から下に押圧した場合、前記上肩部の上面が凹状に湾曲して、前記飲み口部の一部が前記上肩部内に収納され、前記底部の窪みに前記飲み口部の収納されない残りの部分が収納され得ることを特徴とする請求項１又は２に記載の蛇腹状ペットボトル。
【請求項４】
前記環状谷部には、溝が形成されていることを特徴とする請求項１又は２に記載の蛇腹状ペットボトル。
【請求項５】
前記環状山部において、上面が凹状に湾曲、下面が凸状に湾曲するように形成されており、本体の高さ方向の両側から押圧した際、上記の上面と下面が重なり合い、前記飲み口部の一部を収納できることを特徴とする請求項１又は２に記載の蛇腹状ペットボトル。
【考案の詳細な説明】
【技術分野】
【０００１】
本考案は、ミネラルウォーターやジュースや茶等のペットボトル容器に関し、特に、高さを自由に調整できる蛇腹状のペットボトルの技術に関するものである。
【背景技術】
【０００２】
従来からペットボトル容器においては、容器の製造業者からミネラルウォーター等の内容物を封入する業者に容器を搬送する際、容器の内容物は空気であるために、まるで空気を搬送しているような無駄なコストが容器の搬送費にかかるといった問題がある。
そのため、従来から、ペットボトル容器を蛇腹状にし、高さを自由に調整できるものが知られている（例えば、特許文献１〜３を参照）。ペットボトル容器を蛇腹状にして高さを自由に調整できることにより、ペットボトル容器の製造業者から封入業者に搬送する際は容器の体積を縮小させて、ペットボトル容器の搬送費の低減を図ることが可能になる。
【０００３】
しかしながら、従来開示されたペットボトル容器の構造では、容器全体に一様に蛇腹状の形状が施されているために、段階的にペットボトル容器の体積を縮小させることが困難であった。
例えば、ペットボトル飲料を使用するユーザは、内容物が飲まれるなどペットボトル容器内に空きの部分が半分程度できると、持ち運びの利便性やカバン等への収納場所の観点から、ペットボトル容器の高さを半分程度にしたいといった要求がある。しかし、従来は、一様に蛇腹状の形状が施されているため、容器の上下に圧縮する力を付与して、簡単に容器自体を半分程度の高さに変形させるのは困難である。
なお、ペットボトル容器は、ミネラルウォーターやジュースや茶等の飲料物の容器に限定されず、例えば、マヨネーズ、ソース、ケチャップ等の調味料の容器にも適用可能なものとして解釈する。
【先行技術文献】
【特許文献】
【０００４】
【特許文献１】国際公開パンフレットＷＯ９６／１１１４５
【特許文献２】特開２００５−２５５２１９号公報
【特許文献３】実用新案登録第３１０６０５９号公報
【考案の概要】
【考案が解決しようとする課題】
【０００５】
上記状況に鑑みて、本考案は、簡便にペットボトル容器の高さを２段階に縮小又は増大させ得る蛇腹状ペットボトルを提供することを目的とする。
【課題を解決するための手段】
【０００６】
上記目的を達成すべく、本考案の第１の観点の蛇腹状ペットボトルは、飲み口部と上肩部と底部を除いた本体の高さ方向の全部が水平方向の蛇腹状となっているペットボトルにおいて、上記蛇腹状を構成する環状山部は、環径が大きな第１の山部と環径が小さな第２の山部とが交互に現れるように形成され、上記蛇腹状を構成する環状谷部の環径が同じであることを特徴とする。
【０００７】
かかる構成によれば、以下に説明するように、簡便にペットボトル容器の高さを２段階に縮小又は増大させることができる。上記の第１の観点の蛇腹状ペットボトルでは、環径が大きな第１の山部と環径が小さな第２の山部とが交互に現れる。交互に現れる２種類の第１の山部と第２の山部は、それぞれ蛇腹状の外径は異なる。一方の山部の径が大きく、他方の山部の径が小さい。また、環状谷部の径は同じである。また、交互に現れる繰り返しの数は特に限定されず、容器の容積（例えば、５００ミリリットル、１リットル、２リットル等）に応じて自由にデザインできる。なお、一方の山部の径と谷部の径との差と、他方の山部の径と谷部の径との差は、３：２〜２：１が好ましい。
【０００８】
ところで、山部の径と谷部の径との差の大きな部分と、山部の径と谷部の径との差の小さな部分とを比較した場合、山部の径と谷部の径との差の大きな部分が畳み易い。そのため、ペットボトル容器を飲み口部と底部の両側から圧迫した場合、山部の径と谷部の径との差の大きな部分の蛇腹が、山部の径と谷部の径との差の小さな部分の蛇腹よりも先に折り畳まれることになる。そして、山部の径と谷部の径との差の小さな部分の蛇腹のみが残り、これによりペットボトル容器の高さを低くすることができる。
更に、ペットボトル容器を飲み口部と底部の両側から圧迫した場合、残っている山部の径と谷部の径との差の小さな部分の蛇腹が折り畳まれることになる。これにより、ペットボトル容器の体積を最小限にできる。このように、ペットボトル容器の高さを２段階に縮小又は増大させることができるのである。
【０００９】
次に、本考案の第２の観点の蛇腹状ペットボトルは、飲み口部と上肩部と底部を除いた本体の高さ方向の全部が水平方向の蛇腹状となっているペットボトルにおいて、上記蛇腹状を構成する環状山部は、環径が大きな１つの第１の山部と環径が小さな２つの第２の山部とが交互に現れるように形成され、上記蛇腹状を構成する環状谷部の環径が同じであることを特徴とする。
【００１０】
かかる構成によれば、簡便にペットボトル容器の高さを２段階に縮小又は増大させることができる。第１の観点と異なり、第２の観点の蛇腹状ペットボトルでは、環径が大きな１つの第１の山部と環径が小さな２つの第２の山部とが交互に現れる。すなわち、環径が大きな第１の山部が１つと環径が小さな第２の山部が２つとが１組になって周期的に繰り返される。なお、環径が大きな第１の山部の径と谷部の径との差と、環径が小さな山部の径と谷部の径との差は、２：１程度が好ましい。
【００１１】
ここで、飲み口部を上から下に押圧した場合、上肩部の上面が凹状に湾曲して、飲み口部の一部が上肩部内に収納され、底部の窪みに飲み口部の収納されない残りの部分が収納され得ることが好ましい。これにより、最も折り畳んだ際に、複数のペットボトル容器を上下に重ねることが可能になる。ここで、底部の窪みの深さは、飲み口部を上から下に押圧した場合に、上肩部の上面が凹状に湾曲して飲み口部の一部が上肩部内に収納された後の残りの露出する飲み口部の高さ相当になるのが安定面からより好ましい。
【００１２】
また、上記の蛇腹状ペットボトルにおける環状谷部には、溝が形成されていることが好ましい。環状谷部に溝が形成されることにより、蛇腹を折り畳み易くできるからである。
【００１３】
また、上記の蛇腹状ペットボトルの環状山部において、上面が凹状に湾曲、下面が凸状に湾曲するように形成されており、本体の高さ方向の両側から押圧した際、上記の上面と下面が重なり合い、飲み口部の一部を収納できることが更に好ましい。上面が凹状に湾曲、下面が凸状に湾曲するように形成することにより、折り畳んだ状態を保持し易くできるからである。また、最も折り畳んだ際に、飲み口部の一部を収納できる利点がある。
【００１４】
なお、ペットボトル容器の材料は、合成樹脂（プラスチック）の一種であるポリエチレンテレフタレート （ＰＥＴ）に限定されず、その他の形状記憶樹脂やそれ以外でもよい。
【考案の効果】
【００１５】
本考案の蛇腹状ペットボトルによれば、簡便にペットボトル容器の高さを２段階に縮小又は増大させることができるといった効果を有する。
【図面の簡単な説明】
【００１６】
【図１】実施例１の蛇腹状ペットボトル容器の構造図
【図２】蛇腹状形状の拡大断面図
【図３】環状谷部の溝部の説明図
【図４】飲み口部が上肩部に収納される様子とその活用の様子の説明図
【図５】実施例２の蛇腹状ペットボトル容器の構造図
【考案を実施するための最良の形態】
【００１７】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１８】
図１は、実施例１の蛇腹状ペットボトル容器の構造図を示している。図１（１）と（３）は、中心より左半分が側面図を示し、中心より右半分が破断した断面図を示している。また、図１（１）は伸縮前のペットボトルの状態を、図１（２）は１段階縮んだペットボトル容器の状態を、図１（３）は２段階縮んだペットボトル容器の状態を示している。
【００１９】
図１（１）に示すように、実施例１の蛇腹状ペットボトル１は、開口している飲み口部１１と、飲み口部１１に隣接した上肩部１２と、底部１３とを除いた容器本体２０の高さ方向の全部が水平方向の蛇腹状となっている。そして、この蛇腹状を構成する環状山部は、環径が異なる２種類の第１の山部１４と第２の山部１５が交互に現れるように形成されている。
図１（１）において、第１の山部１４の径は、第２の山部１５の径よりも大きい。一方、蛇腹状を構成する環状谷部１６の環径は同じである。従って、山部の径と谷部の径との差の大きな部分の蛇腹２１と、山部の径と谷部の径との差の小さな部分の蛇腹２２が交互に現れることになる。
【００２０】
図２は、蛇腹状形状の拡大断面図を示している。第１の山部１４の径と谷部１６の径との差は、Ｈ１の符号で示している。また、第２の山部１５の径と谷部１６の径との差は、Ｈ２の符号で示している。ここで、Ｈ１：Ｈ２＝２：１にしている。これにより、第１の山部１４の蛇腹２１の高さ方向の幅Ｌ１と、第２の山部１５の蛇腹２２の高さ方向の幅Ｌ２とは、Ｌ１：Ｌ２＝２：１の関係となる。
【００２１】
この場合、山部の径と谷部の径との差の大きな部分が畳み易いことから、ペットボトル容器を飲み口部と底部の両側から圧迫した場合、第１の山部１４の蛇腹２１が先に折り畳まれることになる。
環径が大きな第１の山部１４と環径が小さな第２の山部１５とが交互に現れるように形成されている場合、第１の山部１４の蛇腹２１が先に折り畳まれると、計算上は高さ方向の幅Ｌ１が消失することになり、容器本体２０の高さは、Ｌ２／（Ｌ１＋Ｌ２）倍になる。Ｌ１：Ｌ２＝２：１の関係の場合、容器本体２０の高さは伸縮前と比べると１／３となる。
【００２２】
しかしながら、実際、蛇腹２１が折り畳まれて上面Ａ１と下面Ｂ１が完全に重なりあったとしても高さ方向の幅Ｌ１が完全に消失することはない。また、蛇腹２１が折り畳まれた場合でも、上面Ａ１と下面Ｂ１の間に少し隙間が残る場合もある。そのため、第１の山部１４の蛇腹２１が先に折り畳まれた場合は、容器本体の高さは約半分程度となると予想できる。
図１（２）には１段階縮んだペットボトル容器の状態を示している。
第１の山部１４の径と谷部１６の径との差と、第２の山部１５の径と谷部１６の径との差とを調整することにより、第１の山部１４の蛇腹２１が先に折り畳まれた場合の容器本体の高さの変位を調整できることが理解できる。
【００２３】
そして、第１の山部１４の蛇腹２１が折り畳まれた後、ペットボトル容器を飲み口部と底部の両側から更に圧迫した場合、第１の山部１５の蛇腹２２が折り畳まれる。図１（３）は、１段階目として第１の山部１４の蛇腹２１が折り畳まれ、２段階目として第１の山部１５の蛇腹２２が折り畳まれ、容器本体２０が縮んだペットボトル容器の状態を示している。山部の径と谷部の径との差の小さな部分である第１の山部１５の蛇腹２２が折り畳まれることにより、ペットボトル容器の体積を最小限にできる。
【００２４】
また、図３は環状谷部の溝部の説明図を示している。谷部には溝部３０を設ける方がよい。溝部３０があることで、第１の山部１４の蛇腹２１の下面Ｂと、第１の山部１５の蛇腹２２の上面Ｃが重なり易くなる。
特に、上面（Ａ，Ｃ）が凹状に湾曲し、下面（Ｂ，Ｄ）が凸状に湾曲するように形成することで、容器本体の高さ方向の両側から押圧した際、上面Ａと下面Ｂが重なり合い、或いは、上面Ｃと下面Ｄが重なり合い、飲み口部１１（図示せず）の一部を収納できるようになる。
【００２５】
また、図４（１）は飲み口部が上肩部に収納される様子を、図４（２）はその活用の様子を示している。飲み口部を上から下に押圧した場合、図４（１）に示すように、上肩部１２の上面が凹状に湾曲して、飲み口部１１の一部が上肩部内に収納される。飲み口部１１の収納されない残りの部分１１ａは、底部１３の窪み１３ａに収納することができる。これにより、最も折り畳んだ際に、複数のペットボトル容器を上下に重ねることが可能になる。図４（２）は３つのペットボトル容器（１ａ〜１ｃ）を上下方向に重ねた様子を示したものである。ペットボトル容器１ａの底部にペットボトル容器１ｂの飲み口部が収納されている。また、ペットボトル容器１ｂの底部にペットボトル容器１ｃの飲み口部が収納されている。
【実施例２】
【００２６】
図５は、実施例２の蛇腹状ペットボトル容器の構造図を示している。図５（１）は伸縮前のペットボトルの状態を、図５（２）は１段階縮んだペットボトル容器の状態を示している。
【００２７】
図５（１）に示すように、実施例２の蛇腹状ペットボトル１は、開口している飲み口部１１と、飲み口部１１に隣接した上肩部１２と、底部１３とを除いた容器本体２０の高さ方向の全部が水平方向の蛇腹状となっている。そして、この蛇腹状を構成する環状山部は、環径が大きな１つの第１の山部１４と環径が小さな２つの第２の山部（１５ａ，１５ｂ）とが交互に現れるように形成されている。蛇腹状を構成する環状谷部１６の環径は同じである。従って、山部の径と谷部の径との差の大きな部分の１つの蛇腹２１と、山部の径と谷部の径との差の小さな部分の２つの蛇腹（２２ａ，２２ｂ）が交互に現れることになる。
【００２８】
山部の径と谷部の径との差の大きな部分が畳み易いことから、ペットボトル容器を飲み口部と底部の両側から圧迫した場合、第１の山部１４の蛇腹２１が先に折り畳まれることになる。
環径が大きな第１の山部１４と環径が小さな２つの第２の山部（１５ａ，１５ｂ）とが交互に現れるように形成されているので、第１の山部１４の蛇腹２１が先に折り畳まれると、図５（２）に示すように、第２の山部（１５ａ，１５ｂ）の蛇腹（２２ａ，２２ｂ）が残ることになる。伸縮前に比べて、容器本体２０の高さは、（Ｌ２＋Ｌ２）／（Ｌ１＋Ｌ２＋Ｌ２）倍になる。実施例１の場合と同様に、Ｌ１：Ｌ２＝２：１の関係とした場合、容器本体２０の高さは伸縮前と比べると計算上１／２となる。
【００２９】
ペットボトル容器の厚みが薄くでき、蛇腹２１が折り畳まれて上面Ａ１と下面Ｂ１が完全に重なりある場合や、上面Ａ１と下面Ｂ１の間に隙間が残らない場合、実施例２の構造にすることにより、簡便にペットボトル容器の高さを半分程度に縮小させることができる。
【産業上の利用可能性】
【００３０】
本考案は、ミネラルウォーターやジュースや茶等の飲料物の容器や、マヨネーズ、ソース、ケチャップ等の調味料の容器に利用である。
【符号の説明】
【００３１】
１    ペットボトル容器
１１  飲み口部
１２  上肩部
１３  底部
１４  第１の山部
１５，１５ａ，１５ｂ  第２の山部
１６  谷部
１７  軸線
２０  容器本体
２１  径の差の大きな部分の蛇腹
２２，２２ａ，２２ｂ  径の差の小さな部分の蛇腹
Ａ，Ａ１，Ａ２  第１の山部の上面
Ｂ，Ｂ１，Ｂ２  第１の山部の下面
Ｃ，Ｃ１，Ｃ２  第２の山部の上面
Ｄ，Ｄ１，Ｄ２  第２の山部の下面
【図１】
0003169787.tif 000003
【図２】
0003169787.tif 000004
【図３】
0003169787.tif 000005
【図４】
0003169787.tif 000006
【図５】
0003169787.tif 000007
【手続補正書】
【提出日】平成23年6月15日(2011.6.15)
【手続補正１】
【補正対象書類名】実用新案登録請求の範囲
【補正対象項目名】請求項３
【補正方法】変更
【補正の内容】
【請求項３】
前記底部が窪みを有し、前記飲み口部を上から下に押圧した場合、前記上肩部の上面が凹状に湾曲して、前記飲み口部の一部が前記上肩部内に収納され、前記底部の窪みに前記飲み口部の収納されない残りの部分が収納され得ることを特徴とする請求項１又は２に記載の蛇腹状ペットボトル。
【手続補正２】
【補正対象書類名】明細書
【補正対象項目名】００１１
【補正方法】変更
【補正の内容】
【００１１】
ここで、底部が窪みを有しており、飲み口部を上から下に押圧した場合、上肩部の上面が凹状に湾曲して、飲み口部の一部が上肩部内に収納され、底部の窪みに飲み口部の収納されない残りの部分が収納され得ることが好ましい。これにより、最も折り畳んだ際に、複数のペットボトル容器を上下に重ねることが可能になる。ここで、底部の窪みの深さは、飲み口部を上から下に押圧した場合に、上肩部の上面が凹状に湾曲して飲み口部の一部が上肩部内に収納された後の残りの露出する飲み口部の高さ相当になるのが安定面からより好ましい。